(57)【要約】【課題】本発明はホテル用歯ブラシ貯蔵キャビネットを開示した。【解決手段】本体を含み、前記本体の中には底部空きチャンバが設けられ、前記底部空きチャンバの中には踏み板機構が設けられ、前記踏み板機構はドアの開閉を制御でき、前記底部空きチャンバの頂部には貯蔵チャンバが設けられ、前記貯蔵チャンバの中には歯ブラシ支持板機構が設けられ、前記歯ブラシ支持板機構の中には歯ブラシが設けられ、前記歯ブラシ支持板機構の頂部には螺旋ロッド機構が設けられ、前記螺旋ロッド機構は前記歯ブラシを押し出すことができ、前記本体の片側端面にはドア枠ブロックが固定的に取り付けられ、前記ドア枠ブロックが上下に対称的に設けられ、前記ドア枠ブロックの間には前記ドアがスライドできるように取り付けられ、前記貯蔵チャンバの頂端には押し板機構が設けられている。【選択図】図１
2020182772.tif 000002
【特許請求の範囲】
【請求項１】
正面視で、本体を含み、前記本体の中には底部空きチャンバが設けられ、前記底部空きチャンバの中には踏み板機構が設けられ、前記踏み板機構はドアの開閉を制御でき、前記底部空きチャンバの頂部には貯蔵チャンバが設けられ、前記貯蔵チャンバの中には歯ブラシ支持板機構が設けられ、前記歯ブラシ支持板機構の中には歯ブラシが設けられ、前記歯ブラシ支持板機構の頂部には螺旋ロッド機構が設けられ、前記螺旋ロッド機構は前記歯ブラシを押し出すことができ、前記本体の片側端面にはドア枠ブロックが固定的に取り付けられ、前記ドア枠ブロックが上下に対称的に設けられ、前記ドア枠ブロックの間には前記ドアがスライドできるように取り付けられ、前記貯蔵チャンバの頂端には押し板機構が設けられ、前記押し板機構が前記螺旋ロッド機構を上へ引き上げることによって歯ブラシを歯ブラシ支持板機構の中に入れることができることを特徴とするホテル用歯ブラシ貯蔵キャビネット。
【請求項２】
前記踏み板機構は前記底部空きチャンバの中に回転できるように設けられた端面歯車と前記底部空きチャンバの底壁に固定的に取り付けられた固定ブロックとを含み、前記固定ブロックの中には底軸が回転できるように設けられ、前記底軸の片側端面には底軸動力歯が固定的に設けられ、前記底軸動力歯と前記端面歯車とが噛合するように設けられ、前記底軸の右側端面には底軸従動歯が固定的に設けられ、前記端面歯車の片側には踏み板がヒンジによって連結され、前記踏み板の一端が連結ロッドによって前記端面歯車とヒンジによって連結され、前記底部空きチャンバの中にはウォームホイールが回転できるように設けられ、前記ウォームホイールの片側には横向き軸が回転できるように設けられ、前記横向き軸の一端には横軸動力歯が固定的に設けられ、前記横軸動力歯と前記ウォームホイールの前側とが噛合しており、前記横向き軸のもう一端には前記ドア枠ブロックの中に位置した横軸従動歯が固定的に設けられ、前記横軸従動歯と前記ドアの底端とが噛合するように設けられ、前記底部空きチャンバの頂壁の中にはウォームが回転できるように設けられ、前記ウォームの底端にはウォーム傘歯が固定的に設けられ、前記ウォーム傘歯と前記底軸従動歯とが噛合するように設けられていることを特徴とする請求項１に記載のホテル用歯ブラシ貯蔵キャビネット。
【請求項３】
前記歯ブラシ支持板機構は前記貯蔵チャンバの中にスライドできるように設けられたスライドブロックを含み、前記スライドブロックの片側端面には支持ロッドが固定的に設けられ、前記歯ブラシが前記支持ロッドに掛けられており、前記スライドブロックの片側端面にはラックが固定的に設けられ、前記ラックの頂部には従動傘歯が回転できるように設けられ、前記従動傘歯と前記ラックとが噛合するように設けられ、前記従動傘歯の片側には動力傘歯が回転できるように設けられ、前記動力傘歯と前記従動傘歯とはベルトによって伝動できるように連結され、前記ウォームが前記動力傘歯の前側を貫通しており、前記ウォームの外周面にはウォーム頂部歯が固定的に設けられ、前記ウォーム頂部歯と前記動力傘歯とが噛合するように設けられていることを特徴とする請求項１に記載のホテル用歯ブラシ貯蔵キャビネット。
【請求項４】
前記螺旋ロッド機構は前記貯蔵チャンバの中の頂部位置にスライドできるように設けられたネジ山スライドブロックを含み、前記ネジ山スライドブロックの片側端面にはスライドブロック溝が設けられ、前記スライドブロック溝の中にはネジロッドブロックがスライドできるように設けられ、前記ネジロッドブロックの片側端面には横向きスプラインスリーブが回転できるように設けられ、前記横向きスプラインスリーブの外周には螺旋ロッドが固定的に設けられ、前記横向きスプラインスリーブの一端が前記ネジロッドブロックの中に伸びており、前記ネジ山スライドブロックの中には爪車チャンバが設けられ、前記爪車チャンバの片側端壁の中にはスプライン軸が回転できるように設けられ、前記スプライン軸の片側のうち伸びている部分と前記横向きスプラインスリーブとがスプラインによって連結され、前記スプライン軸のもう片側末端にはスプライン軸傘歯が固定的に設けられ、前記爪車チャンバの底部端壁の中には底部スプラインスリーブが回転できるように設けられ、前記底部スプラインスリーブの頂端には前記スプライン軸傘歯と噛合するように設けられた爪車が固定的に設けられ、前記底部スプラインスリーブの底部のうち伸びている部分と前記ウォームとがスプラインによって連結され、前記スライドブロックの頂端が前記ネジロッドブロックの底端に挿入されており、且つ前記ネジロッドブロックとスライドできうように連結されていることを特徴とする請求項１に記載のホテル用歯ブラシ貯蔵キャビネット。
【請求項５】
前記押し板機構は前記押しラックチャンバの中にスライドできるように設けられた押しラックを含み、前記押しラックの頂端には押し板が固定的に設けられ、前記押し板と前記本体の頂端とがバネによって弾性を持つように設けられ、前記押しラックチャンバと前記頂部空きチャンバとの間には頂部軸が回転できるように設けられ、前記頂部軸の片側には頂部軸動力歯車が固定的に設けられ、前記頂部軸動力歯車と前記押しラックとが噛合するように設けられ、前記頂部軸のもう一端には伝動傘歯車が固定的に設けられ、前記頂部空きチャンバの底壁の中にはネジロッドが回転できるように設けられ、前記ネジロッドの底部のうち伸びている部分と前記ネジ山スライドブロックとがねじ山によって取り付けられ、前記ネジロッドの頂端には前記伝動傘歯車と噛合しているネジロッド傘歯が固定的に設けられていることを特徴とする請求項１に記載のホテル用歯ブラシ貯蔵キャビネット。
【発明の詳細な説明】
【技術分野】
【０００１】
本発明は貯蔵分野を取り上げて、具体的にはホテル用歯ブラシ貯蔵キャビネットである。
【背景技術】
【０００２】
経済の発展と共に、人々の生活水準もだんだん上がっていき旅行する回数も増えていき、出張も旅行もホテルに泊まることが多いため、ホテル側としては生活用品を準備する必要があり、旅客が通常通りに歯を磨けるように、ホテルのスタッフが毎日歯ブラシを交換する必要があり、スタッフの仕事量を増やし、従って、本発明は複数の歯ブラシを貯蔵できる貯蔵キャビネットを設計し、スタッフが毎日歯ブラシを交換する必要はなく、スタッフの仕事量を減らし、また本装置は操作が比較的に便利であり、旅客の使用にも便利である。
【先行技術文献】
【特許文献】
【０００３】
【特許文献１】中国特許出願公開第１０４５３３１５５号明細書
【発明の概要】
【発明が解決しようとする課題】
【０００４】
本発明の目的はホテル用歯ブラシ貯蔵キャビネットを提供し、それは上記の現在の技術中の問題を解決できる。
【課題を解決するための手段】
【０００５】
本発明のホテル用歯ブラシ貯蔵キャビネットは、本体を含み、前記本体の中には底部空きチャンバが設けられ、前記底部空きチャンバの中には踏み板機構が設けられ、前記踏み板機構はドアの開閉を制御でき、前記底部空きチャンバの頂部には貯蔵チャンバが設けられ、前記貯蔵チャンバの中には歯ブラシ支持板機構が設けられ、前記歯ブラシ支持板機構の中には歯ブラシが設けられ、前記歯ブラシ支持板機構の頂部には螺旋ロッド機構が設けられ、前記螺旋ロッド機構は前記歯ブラシを押し出すことができ、前記本体の片側端面にはドア枠ブロックが固定的に取り付けられ、前記ドア枠ブロックが上下に対称的に設けられ、前記ドア枠ブロックの間には前記ドアがスライドできるように取り付けられ、前記貯蔵チャンバの頂端には押し板機構が設けられ、前記押し板機構が前記螺旋ロッド機構を上へ引き上げることによって歯ブラシを歯ブラシ支持板機構の中に入れることができる。
【０００６】
更の技術プラン、前記踏み板機構は前記底部空きチャンバの中に回転できるように設けられた端面歯車と前記底部空きチャンバの底壁に固定的に取り付けられた固定ブロックとを含み、前記固定ブロックの中には底軸が回転できるように設けられ、前記底軸の片側端面には底軸動力歯が固定的に設けられ、前記底軸動力歯と前記端面歯車とが噛合するように設けられ、前記底軸の右側端面には底軸従動歯が固定的に設けられ、前記端面歯車の片側には踏み板がヒンジによって連結され、前記踏み板の一端が連結ロッドによって前記端面歯車とヒンジによって連結され、前記底部空きチャンバの中にはウォームホイールが回転できるように設けられ、前記ウォームホイールの片側には横向き軸が回転できるように設けられ、前記横向き軸の一端には横軸動力歯が固定的に設けられ、前記横軸動力歯と前記ウォームホイールの前側とが噛合しており、前記横向き軸のもう一端には前記ドア枠ブロックの中に位置した横軸従動歯が固定的に設けられ、前記横軸従動歯と前記ドアの底端とが噛合するように設けられ、前記底部空きチャンバの頂壁の中にはウォームが回転できるように設けられ、前記ウォームの底端にはウォーム傘歯が固定的に設けられ、前記ウォーム傘歯と前記底軸従動歯とが噛合するように設けられている。
【０００７】
更の技術プラン、前記歯ブラシ支持板機構は前記貯蔵チャンバの中にスライドできるように設けられたスライドブロックを含み、前記スライドブロックの片側端面には支持ロッドが固定的に設けられ、前記歯ブラシが前記支持ロッドに掛けられており、前記スライドブロックの片側端面にはラックが固定的に設けられ、前記ラックの頂部には従動傘歯が回転できるように設けられ、前記従動傘歯と前記ラックとが噛合するように設けられ、前記従動傘歯の片側には動力傘歯が回転できるように設けられ、前記動力傘歯と前記従動傘歯とはベルトによって伝動できるように連結され、前記ウォームが前記動力傘歯の前側を貫通しており、前記ウォームの外周面にはウォーム頂部歯が固定的に設けられ、前記ウォーム頂部歯と前記動力傘歯とが噛合するように設けられている。
【０００８】
更の技術プラン、前記螺旋ロッド機構は前記貯蔵チャンバの中の頂部位置にスライドできるように設けられたネジ山スライドブロックを含み、前記ネジ山スライドブロックの片側端面にはスライドブロック溝が設けられ、前記スライドブロック溝の中にはネジロッドブロックがスライドできるように設けられ、前記ネジロッドブロックの片側端面には横向きスプラインスリーブが回転できるように設けられ、前記横向きスプラインスリーブの外周には螺旋ロッドが固定的に設けられ、前記横向きスプラインスリーブの一端が前記ネジロッドブロックの中に伸びており、前記ネジ山スライドブロックの中には爪車チャンバが設けられ、前記爪車チャンバの片側端壁の中にはスプライン軸が回転できるように設けられ、前記スプライン軸の片側のうち伸びている部分と前記横向きスプラインスリーブとがスプラインによって連結され、前記スプライン軸のもう片側末端にはスプライン軸傘歯が固定的に設けられ、前記爪車チャンバの底部端壁の中には底部スプラインスリーブが回転できるように設けられ、前記底部スプラインスリーブの頂端には前記スプライン軸傘歯と噛合するように設けられた爪車が固定的に設けられ、前記底部スプラインスリーブの底部のうち伸びている部分と前記ウォームとがスプラインによって連結され、前記スライドブロックの頂端が前記ネジロッドブロックの底端に挿入されており、且つ前記ネジロッドブロックとスライドできうように連結されている。
【０００９】
更の技術プラン、前記押し板機構は前記押しラックチャンバの中にスライドできるように設けられた押しラックを含み、前記押しラックの頂端には押し板が固定的に設けられ、前記押し板と前記本体の頂端とがバネによって弾性を持つように設けられ、前記押しラックチャンバと前記頂部空きチャンバとの間には頂部軸が回転できるように設けられ、前記頂部軸の片側には頂部軸動力歯車が固定的に設けられ、前記頂部軸動力歯車と前記押しラックとが噛合するように設けられ、前記頂部軸のもう一端には伝動傘歯車が固定的に設けられ、前記頂部空きチャンバの底壁の中にはネジロッドが回転できるように設けられ、前記ネジロッドの底部のうち伸びている部分と前記ネジ山スライドブロックとがねじ山によって取り付けられ、前記ネジロッドの頂端には前記伝動傘歯車と噛合しているネジロッド傘歯が固定的に設けられている。
【発明の効果】
【００１０】
本装置の歯ブラシ支持板機構と螺旋ロッド機構とはスライドブロックの滑り出しと歯ブラシの押し出しとに便利であり、押し板機構はスタッフが歯ブラシを支持ロッドに掛けることに便利であり、足で踏み板を踏めば、ドアが自動的に開き、歯ブラシが押し出される。
【図面の簡単な説明】
【００１１】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明のホテル用歯ブラシ貯蔵キャビネットの正面図
【図２】図２は図１のＡの拡大構成略図
【図３】図３は図１のＢの拡大構成略図
【発明を実施するための形態】
【００１３】
図１〜３を参照し、本発明のホテル用歯ブラシ貯蔵キャビネットは、本体１００を含み、前記本体１００の中には底部空きチャンバ１０９が設けられ、前記底部空きチャンバ１０９の中には踏み板機構が設けられ、前記踏み板機構はドア１１５の開閉を制御でき、前記底部空きチャンバ１０９の頂部には貯蔵チャンバ１１６が設けられ、前記貯蔵チャンバ１１６の中には歯ブラシ支持板機構が設けられ、前記歯ブラシ支持板機構の中には歯ブラシ１１８が設けられ、前記歯ブラシ支持板機構の頂部には螺旋ロッド機構が設けられ、前記螺旋ロッド機構は前記歯ブラシ１１８を押し出すことができ、前記本体１００の片側端面にはドア枠ブロック１１１が固定的に取り付けられ、前記ドア枠ブロック１１１が上下に対称的に設けられ、前記ドア枠ブロック１１１の間には前記ドア１１５がスライドできるように取り付けられ、前記貯蔵チャンバ１１６の頂端には押し板機構が設けられ、前記押し板機構が前記螺旋ロッド機構を上へ引き上げることによって歯ブラシを歯ブラシ支持板機構の中に入れることができ、前記本体１００の頂部端面には押しラックチャンバ１４７が設けられ、前記押しラックチャンバ１４７の右側の前記本体１００の中には頂部空きチャンバ１２４が設けられている。
【００１４】
有益に、前記踏み板機構は前記底部空きチャンバ１０９の中に回転できるように設けられた端面歯車１０６と前記底部空きチャンバ１０９の底壁に固定的に取り付けられた固定ブロック１０４とを含み、前記固定ブロック１０４の中には底軸１０３が回転できるように設けられ、前記底軸１０３の片側端面には底軸動力歯１０５が固定的に設けられ、前記底軸動力歯１０５と前記端面歯車１０６とが噛合するように設けられ、前記底軸１０３の右側端面には底軸従動歯１０２が固定的に設けられ、前記端面歯車１０６の片側には踏み板１１０がヒンジによって連結され、前記踏み板１１０の一端が連結ロッド１０７によって前記端面歯車１０６とヒンジによって連結され、前記底部空きチャンバ１０９の中にはウォームホイール１４９が回転できるように設けられ、前記ウォームホイール１４９の片側には横向き軸１１２が回転できるように設けられ、前記横向き軸１１２の一端には横軸動力歯１１４が固定的に設けられ、前記横軸動力歯１１４と前記ウォームホイール１４９の前側とが噛合しており、前記横向き軸１１２のもう一端には前記ドア枠ブロック１１１の中に位置した横軸従動歯１１３が固定的に設けられ、前記横軸従動歯１１３と前記ドア１１５の底端とが噛合するように設けられ、前記底部空きチャンバ１０９の頂壁の中にはウォーム１４１が回転できるように設けられ、前記ウォーム１４１の底端にはウォーム傘歯１０１が固定的に設けられ、前記ウォーム傘歯１０１と前記底軸従動歯１０２とが噛合するように設けられ、踏み板１１０を踏み、端面歯車１０６を回転させ、これにより底軸１０３を回転させ、ウォーム１４１を回転させ、これによりウォームホイール１４９を回転させ、横向き軸１１２を回転させ、従動歯１１３を回転させ、ドア１１５を開ける。
【００１５】
有益に、前記歯ブラシ支持板機構は前記貯蔵チャンバ１１６の中にスライドできるように設けられたスライドブロック１１７を含み、前記スライドブロック１１７の片側端面には支持ロッド１１９が固定的に設けられ、前記歯ブラシ１１８が前記支持ロッド１１９に掛けられており、前記スライドブロック１１７の片側端面にはラック１３４が固定的に設けられ、前記ラック１３４の頂部には従動傘歯１３３が回転できるように設けられ、前記従動傘歯１３３と前記ラック１３４とが噛合するように設けられ、前記従動傘歯１３３の片側には動力傘歯１３１が回転できるように設けられ、前記動力傘歯１３１と前記従動傘歯１３３とはベルト１３２によって伝動できるように連結され、前記ウォーム１４１が前記動力傘歯１３１の前側を貫通しており、前記ウォーム１４１の外周面にはウォーム頂部歯１３０が固定的に設けられ、前記ウォーム頂部歯１３０と前記動力傘歯１３１とが噛合するように設けられ、ウォーム頂部歯１３０が回転し従動傘歯１３３を回転させ、これによりラック１３４を片側へスライドさせ、ドア１１５が開いた時にスライドブロック１１７をスライドして出ることができるようにする。
【００１６】
有益に、前記螺旋ロッド機構は前記貯蔵チャンバ１１６の中の頂部位置にスライドできるように設けられたネジ山スライドブロック１２９を含み、前記ネジ山スライドブロック１２９の片側端面にはスライドブロック溝１４２が設けられ、前記スライドブロック溝１４２の中にはネジロッドブロック１２７がスライドできるように設けられ、前記ネジロッドブロック１２７の片側端面には横向きスプラインスリーブ１２１が回転できるように設けられ、前記横向きスプラインスリーブ１２１の外周には螺旋ロッド１２０が固定的に設けられ、前記横向きスプラインスリーブ１２１の一端が前記ネジロッドブロック１２７の中に伸びており、前記ネジ山スライドブロック１２９の中には爪車チャンバ１３８が設けられ、前記爪車チャンバ１３８の片側端壁の中にはスプライン軸１３６が回転できるように設けられ、前記スプライン軸１３６の片側のうち伸びている部分と前記横向きスプラインスリーブ１２１とがスプラインによって連結され、前記スプライン軸１３６のもう片側末端にはスプライン軸傘歯１３７が固定的に設けられ、前記爪車チャンバ１３８の底部端壁の中には底部スプラインスリーブ１４０が回転できるように設けられ、前記底部スプラインスリーブ１４０の頂端には前記スプライン軸傘歯１３７と噛合するように設けられた爪車１３９が固定的に設けられ、前記底部スプラインスリーブ１４０の底部のうち伸びている部分と前記ウォーム１４１とがスプラインによって連結され、前記スライドブロック１１７の頂端が前記ネジロッドブロック１２７の底端に挿入されており、且つ前記ネジロッドブロック１２７とスライドできうように連結され、ウォーム１４１が回転し底部スプラインスリーブ１４０を回転させ、これにより爪車１３９を回転させ、爪車１３９が爪車であるため、前記爪車１３９はスプライン軸傘歯１３７を一つの方向へしか回転連動させなく、スプライン軸１３６を回転させ、これにより螺旋ロッド１２０を回転させ、これにより前記歯ブラシ１１８の押し出しを実現する。
【００１７】
有益に、前記押し板機構は前記押しラックチャンバ１４７の中にスライドできるように設けられた押しラック１４４を含み、前記押しラック１４４の頂端には押し板１４３が固定的に設けられ、前記押し板１４３と前記本体１００の頂端とがバネ１４５によって弾性を持つように設けられ、前記押しラックチャンバ１４７と前記頂部空きチャンバ１２４との間には頂部軸１２２が回転できるように設けられ、前記頂部軸１２２の片側には頂部軸動力歯車１４６が固定的に設けられ、前記頂部軸動力歯車１４６と前記押しラック１４４とが噛合するように設けられ、前記頂部軸１２２のもう一端には伝動傘歯車１２３が固定的に設けられ、前記頂部空きチャンバ１２４の底壁の中にはネジロッド１３５が回転できるように設けられ、前記ネジロッド１３５の底部のうち伸びている部分と前記ネジ山スライドブロック１２９とがねじ山によって取り付けられ、前記ネジロッド１３５の頂端には前記伝動傘歯車１２３と噛合しているネジロッド傘歯１２５が固定的に設けられ、押し板１４３を押し、押しラック１４４が下へ移動し頂部軸１２２を回転させ、螺旋ロッド１２０を上へ移動させ、歯ブラシ１１８を支持ロッド１１９に掛ける。
【００１８】
装置が作動する時、まず踏み板１１０を踏み、これにより連結ロッド１０７が端面歯車１０６を引き動かし、これにより底軸動力歯１０５を回転させ、底軸動力歯１０５が底軸１０３を回転連動させ、これにより底軸従動歯１０２がウォーム傘歯１０１を回転連動させ、ウォーム１４１を回転させ、これによりウォームホイール１４９を回転させ、ウォームホイール１４９が横軸動力歯１１４を回転連動させ、横向き軸１１２に横軸従動歯１１３を回転連動させ、これによりドア１１５を開け、ウォーム頂部歯１３０が動力傘歯１３１を回転連動させ、従動傘歯１３３を回転させ、これによりラック１３４を移動させ、スライドブロック１１７の一部を貯蔵チャンバ１１６の外にスライドさせ、底部スプラインスリーブ１４０を回転させ、これにより爪車１３９にスプライン軸傘歯１３７を回転連動させ、これによりスプライン軸１３６を回転させ、これにより螺旋ロッド１２０を回転させ、これにより螺旋ロッド１２０が歯ブラシ１１８を押し出し、使用後に手動でドア１１５を閉め、これにより装置が復帰し、歯ブラシ１１８を支持ロッド１１９に掛ける時は、踏み板１１０を踏み、スライドブロック１１７を出し、押し板１４３を押し、頂部軸１２２を回転させ、これによりネジロッド１３５を回転させ、これによりネジ山スライドブロック１２９を上へスライドさせ、この時螺旋ロッド１２０が上へ移動し支持ロッド１１９から離れ、スタッフが歯ブラシ１１８を支持ロッド１１９に掛けることに便利である。
【００１９】
以上のように、本装置の歯ブラシ支持板機構と螺旋ロッド機構とはスライドブロックの滑り出しと歯ブラシの押し出しとに便利であり、押し板機構はスタッフが歯ブラシを支持ロッドに掛けることに便利であり、足で踏み板を踏めば、ドアが自動的に開き、歯ブラシが押し出される。
【００２０】
以上に述べたのはただ本発明の具体的な実施方式で、本発明の保護範囲はここに限らないである。全部の創造的な労働を通じなく思いついた変化と取替は本発明の保護範囲にカバーされる。だから本発明の保護範囲は権利要求書が限定される保護範囲を標準とする
【図１】
2020182772.tif 000003
【図２】
2020182772.tif 000004
【図３】
2020182772.tif 000005